(57)【特許請求の範囲】
【請求項１】
チェーンフライト式汚泥掻寄装置、池底進退駆動型スクレーパ付き汚泥掻寄装置を駆動するため沈澱池の池上壁上の屋外あるいは屋内に設置された減速機付き駆動モーターである駆動源のカバーリング装置であって、前記駆動源は、少なくとも縦胴壁を備えコンクリートやプラスチックによる一体成形体でなるカバー体で外周囲が覆われているとともに、同カバー体の底面は沈澱池内と断絶された密閉状とされる一方、同カバー体の上側には別体の蓋が開閉式で設けられ、前記駆動源からカバー体外部に突出する回転軸は、前記縦胴壁に形成された通孔を通じて密閉状態を保ちながら取り出されるとともに、同回転軸のカバー体外部に突出する軸部には、駆動スプロケットや駆動用のドラムなどの動力伝達部材が取り付けられていることを特徴とする駆動源のカバーリング装置。
【請求項２】
請求項１記載のものにおいて、駆動源は水中駆動型とされているとともに、カバー体の内部には、水が供給されている駆動源のカバーリング装置。
【発明の詳細な説明】
【０００１】
【発明の属する技術分野】
この発明は、沈澱池に構成されるチェーンフライト式汚泥掻寄装置、池底進退駆動型スクレーパ付き汚泥掻寄装置を池上において駆動するために設置される駆動源のカバーリング装置に関する。
【０００２】
【従来の技術】
下水等の浄水設備に構成される沈澱池には、チェーンフライト式汚泥掻寄装置が構成されて、循環駆動式のフライトで池底に溜まる汚泥を掻き寄せるようになっているが、同フライトを循環駆動させるための駆動源（減速機付駆動モーター）およびその出力軸に装着の駆動スプロケットは、池上に設置されていて同駆動スプロケット回りに掛け回された駆動チェーンがフライト付きのチェーンを循環駆動するようになっている。
【０００３】
【発明が解決しようとする課題】
ところで、前記駆動源は屋外であると雨滴等からの防護のためカバー体を付設してあり、前記カバー体は、スチール等により製作されていたため、１基当り非常に高くつくものになっていた。また、従来のカバー体は、底面が開放した形とされて駆動源および駆動スプロケットを共にカバーリングすべく設置されていたため、駆動スプロケットに掛けられた駆動チェーンが沈澱池の上壁に明けられた通口を介して下方に導かれていて沈澱池内とカバー体とが通じていた関係で、前記カバー体内には、沈澱池側から種々のガスが入り込み、これにより、駆動源が腐食したりしていた。
この発明は前記課題を解決するためになされたもので、安価につきしかも駆動源の腐食をなくすことのできる駆動源のカバーリング装置を提供することを目的とする。
【０００４】
【課題を解決するための手段】
前記課題を解決するため、請求項１記載の発明は、チェーンフライト式汚泥掻寄装置、池底進退駆動型スクレーパ付き汚泥掻寄装置を駆動するため沈澱池の池上壁上の屋外あるいは屋内に設置された減速機付き駆動モーターである駆動源のカバーリング装置であって、前記駆動源は、少なくとも縦胴壁を備えコンクリートやプラスチックによる一体成形体でなるカバー体で外周囲が覆われているとともに、同カバー体の底面は沈澱池内と断絶された密閉状とされる一方、同カバー体の上側には別体の蓋が開閉式で設けられ、前記駆動源からカバー体外部に突出する回転軸は、前記縦胴壁に形成された通孔を通じて密閉状態を保ちながら取り出されるとともに、同回転軸のカバー体外部に突出する軸部には、駆動スプロケットや駆動用のドラムなどの動力伝達部材が取り付けられていることを特徴とする。
【０００５】
請求項２記載の発明は、請求項１記載のものにおいて、駆動源は水中駆動型とされているとともに、カバー体の内部には、水が供給されている。
【０００６】
【発明の実施の形態】
以下、図示した実施形態を参照してこの発明を詳細に説明する。
【０００７】
図１および図２はその一実施形態を示し、図１は、図２のＩ−Ｉ線断面図、図２はチェーンフライト式汚泥掻寄装置の駆動源として図１のカバーリング装置を構成した場合の側面図である。
【０００８】
図２において、１は沈澱池で、同沈澱池１内には、右回りに回転する複数のスプロケット２…が４軸式として配され、これらのスプロケット２…の回りに左右一対のチェーン３が巻き掛けられている。
【０００９】
チェーン３にはフライト４…が配され、右回りに駆動されるようになっている。
【００１０】
５は左右のスプロケット２間に配された従動スプロケットで、このスプロケット５が回転されることで前記循環駆動が可能になっている。
【００１１】
この従動スプロケット５を駆動させるものとして図１の駆動源１０が池上に設置されている。
【００１２】
駆動源１０は、減速機１１付きの駆動モーター１２で構成されるとともに、特に、この場合の駆動源１０は、水中駆動型になっている。
【００１３】
１３は駆動源１０の架台である。駆動源１０のカバーリング装置としてカバー体１５が構成される。
【００１４】
同カバー体１５はコンクリート一体成形品で、縦胴壁１６と底面壁１７からなる。
【００１５】
底面壁１７は上からみると矩形をしていて、池上壁１８上にあってアンカーボルト１９により駆動源１０の架台１３とともに締着されている。
【００１６】
縦胴壁１６は、上からみて矩形枠状になっているとともに、通孔２１が明けられ、同通孔２１には、シール２５が設けられるとともに、出力軸２２にカップリング２３を介して接続された取出軸（軸）２４がこのシール２５を介してカバー体１５外部に突出して取り出されている。取出軸２４のカバー体１５から突出する軸部には、駆動スプロケット（動力伝達部材）２６が装着されて駆動チェーン２７が掛けられるとともに、スプロケット２６の外部には、カバー体１５の側面を利用して固定されたスプロケットカバー２８が覆われている。尚、取出軸２４の外端部は軸受２９で支持されている。
【００１７】
一方、カバー体１５の他サイドには、給水パイプ３０およびバルブ３１付排水パイプ３２がそれぞれ一体埋め込み式に配されている。カバー体１５内には給水パイプ３０を通じて駆動源１０が没するように水３３が入れられている。３４は蓋で、同じくコンクリート製でもよいが、この場合はプラスチック蓋になっている。水中には金魚を飼ってもよい。また、前記蓋３４は透明にしておけば見学時等に内部を鑑賞できる。
【００１８】
尚、図１に仮想線Ｌで示すように池上壁１８を設定し、カバー体１５を縦胴部１６のみで構成することができる。この場合、カバー体１５の内周面から底面にかけて全体に樹脂シーリングを施すとともに、カバー体１５の底面と池上壁との間にはコーキングを施すものとする。また、網体３６内に麦飯石を充填して没しておけば水が腐敗するおそれがなくなる。
【００１９】
図３は、沈澱池の底に単一本（２本でもよい）のガイドレール４０に沿って前後に往復駆動されるように池底進退駆動型スクレーパ付き汚泥掻寄装置４１を装備したものにおいて、同装置４１の駆動源をカバー体４２で覆ったものである。汚泥掻寄装置４１は、スプロケット４３を介して１本のワイヤーロープ４４で前後に駆動されるようになっているが、ワイヤーロープ４４の両端は、池上のドラム（動力伝達部材）４５で巻き付けと繰り出しが自在になっている。
【００２０】
ドラム４５は、前記駆動スプロケット２６に相当するもので、その他は図１と同様にカバーリング装置が構成される。尚、図３の４６はスクレーパであり、左方向に装置４１が移動する際は図示のように垂直になり、装置４１が右方向に移動する際は半時計回りに起き上がって復帰姿勢になる。
【００２１】
付加的な提案例として、その他にもチェーンコンベアの駆動源とか、円形沈澱池の駆動源、オキシデーションディッチに構成された攪拌用フィンを駆動するための駆動源や同オキシデーションディッチに構成されたポンプを駆動するための駆動源なども同様にカバーリングすることができる。
【００２２】
例えば、オキシデイションディッチのポンプ駆動用としては図４に示す構造のものが構成される。ポンプ軸４７にカップリング４８を介して駆動源軸４９を接続するように水中駆動型の駆動源５０を内装したカバー体５１を設置し、同カバー体５１をアンカーボルトで駆動源５０とともに固定する。同カバー体５１は、縦胴壁と底面壁とを備えるもので、蓋５２を開閉自在に備えて内部には水５３が入れられている。
【００２３】
尚、前記カバー体はコンクリート製であったが、プラスチックで作製してもよい。
【００２４】
【発明の効果】
この発明は以上のように構成されているので、安価につきしかも駆動源の腐食をなくすことのできる駆動源のカバーリング装置を提供することができる。
【図面の簡単な説明】
【図１】この発明の一実施形態である駆動源のカバーリング装置を示す縦断面図。
【図２】同装置を設置した沈澱池を示す側断面図。
【図３】他の実施形態を示す沈澱池の縦断面図。
【図４】オキシデイションディッチのポンプ駆動用に構成したカバーリング装置の縦断面図。
【符号の説明】
１０，５０…駆動源  １５，４２，５１…カバー体  １６…縦胴壁  １７…底面壁  ３４，５２…蓋。
【図１】
0003680224.tif 000002
【図２】
0003680224.tif 000003
【図３】
0003680224.tif 000004
【図４】
0003680224.tif 000005